(57)【要約】      （修正有）【課題】操作部が垂直な壁面に備えられる遠隔操作式排水栓装置において、レリースワイヤの挫屈や動作不良を防ぎ、また操作部をオーバーフロー排水口内に配置する場合には意匠性を良いものとした遠隔操作式排水栓装置を提供する。【解決手段】遠隔操作式排水栓装置を、槽体に設けられた排水口と、該排水口の開閉を行う弁部材２と、略垂直な壁面に配置される操作部３と、操作部３に加えられた操作を弁部材２に伝達するレリースワイヤ４と、から構成し、操作部３を、レリースワイヤ４のインナーワイヤ４ｂに接続され、側面にツマミ部１１を有した動作体５と、アウターチューブ４ａに接続され、側面に開口部７を設けた箱体であって、側面の開口部７からツマミ部１１が突出した状態で、上下に摺動可能に動作体５を収納する操作部本体６と、から構成する。【選択図】図１
2014167251.tif 000002
【特許請求の範囲】
【請求項１】
槽体に設けられた排水口１と、
排水口１内に配置されて上下動することで該排水口１の開閉を行う弁部材２と、
弁部材２の開閉操作を行う、略垂直な壁面に配置される操作部３と、
操作部３に加えられた操作を弁部材２に伝達する、筒状のアウターチューブ４ａ、アウターチューブ４ａ内に進退自在に配置されるインナーワイヤ４ｂ、から構成されるレリースワイヤ４と、からなり、
インナーワイヤ４ｂを、アウターチューブ４ａに対して軸方向に進退させることにより排水口１の開閉を行う遠隔操作式排水栓装置において、
操作部３を、
インナーワイヤ４ｂに接続される、側面にツマミ部１１を有した動作体５と、
アウターチューブ４ａに接続される、側面に開口部７を設けた箱体であって、側面の開口部７からツマミ部１１が突出した状態で、上下に摺動可能に動作体５を収納する操作部本体６と、から構成し、
前記ツマミ部１１に対して上下方向に操作を加えることによって、インナーワイヤ４ｂがアウターチューブ４ａに対して軸方向に進退することを特徴とする遠隔操作式排水栓装置。
【請求項２】
上記遠隔操作式排水栓装置において、
操作部３の開口部７を槽体内に配置し、
該開口部７にて槽体内の水位が一定以上となったときに槽体内の排水を下水側に排出するオーバーフロー排水を行うと共に、
排水口１の開口状態においては、動作体５によって開口部７の少なくとも一部が閉塞されることで、排水機器の使用者に開口部７から操作部本体６内部が目視できないことを特徴とする、請求項１に記載の遠隔操作式排水栓装置。
【請求項３】
上記遠隔操作式排水栓装置において、
動作体５が面対称形状であり、
施工完了時において、動作体がその対称面に平行な方向に沿って動作することで排水口１を開閉すると共に、
動作体５の対称面上に、ツマミ部１１の重心点と、動作体５とレリースワイヤ４のインナーワイヤ４ｂとの接続部分が配置され、
更に操作部本体６内の排水を排出するオーバーフロー排出口１４を、施工完了時動作体５の対称面上以外の位置に設けてなることを特徴とする、請求項２に記載の遠隔操作式排水栓装置。
【請求項４】
上記遠隔操作式排水栓装置において、
遠隔操作式排水栓装置の操作部３から弁軸２ｂまでの経路の間に、軸方向に進退自在で、
操作部３に押し操作を加える都度、弁部材２が上昇した状態を維持固定／固定を解除して下方に降下、を繰り返す支持軸８ａを備えた駆動部８を設け、
操作部３の押し込み操作毎に排水口１の開閉を行う、ワンウェイ式の遠隔操作式排水栓装置としたことを特徴とする、請求項１乃至請求項３のいずれか１つに記載の遠隔操作式排水栓装置。
【発明の詳細な説明】
【技術分野】
【０００１】
本発明は洗面台、浴槽等の槽体に取り付けられる遠隔操作式排水栓装置に関するものであって、更に詳しくは、排水機器または槽体の略垂直な壁面に操作部が設けられる前面スイッチ式の遠隔操作式排水栓装置に関するものである。
【背景技術】
【０００２】
従来より洗面台、浴槽等の槽体には、排水口に備えられた止水用の弁部材に直接手を触れることなく、操作部の操作によって排水口を開閉することができる遠隔操作式排水栓装置が利用されている。
以下に槽体を有する洗面台に用いた従来例を図面を参照しつつ説明する。
図１４に示した従来の遠隔操作式排水装置は、弁部材、排水栓本体、排水接続管、オーバーフロー配管、操作部、レリースワイヤ、駆動部、等の各部材より構成されてなる。以下に各部材の構造を記す。
弁部材は略円盤状の弁体と、該弁体の中心より直下方向に垂下した弁軸からなる。
排水栓本体は上方に排水口を、また上端周縁にフランジを設けると共に、内部に排水の通水路を備えた筒状の部材であって、下端部分に後述する駆動部の固定部を備え、また下流側に後記する排水接続管を接続してなる。
排水接続管は、筒状の管体の途中部分に、後述するオーバーフロー管を接続するための枝管部を横方向に向けて設けてなる。
オーバーフロー配管は、槽体の内側に取り付けられる、オーバーフロー排水口を備えたオーバーフロー排水栓と、該オーバーフロー排水栓に接続され、オーバーフロー取付孔に取り付けられる横断面視Ｌ字形状をなす、オーバーフロー本体と、該オーバーフロー本体の下流側に接続され、オーバーフロー排水口からの排水が排出されるオーバーフロー管と、から成る。
操作部は、オーバーフロー排水口内に配置され、レリースワイヤに接続される部材であって、インナーワイヤに接続される、棒状にしてその単部に使用者が押し操作を行うためのボタン部を備えた動作体と、アウターチューブに接続される、筒状にしてその内部に操作軸を進退自在に挿通する操作部本体と、から構成してなる。尚、動作体はレリースワイヤの戻りスプリングの付勢により、特に操作などによる荷重が加えられていないときはツマミ部側に突出した状態となる。
レリースワイヤは、操作部の動作を駆動部に伝達する部材であって、側面方向に対して可撓性を備え、軸方向には剛性を備えた円筒状のアウターチューブと、該アウターチューブ内に配置され、アウターチューブ内に滑動自在に配置された、側面方向に対して可撓性を備え、軸方向には剛性を備えたインナーワイヤと、からなる。このレリースワイヤのインナーワイヤは、一端は操作軸の下端に接続し、他端は操作部の押し操作毎に支持軸後端に当接して支持軸を押し上げるように構成してなる。また、該レリースワイヤはアウターチューブに対してインナーワイヤを常に操作部側に付勢する戻りスプリング（図示せず）を内蔵している。
駆動部は、ノック式ボールペンなどに採用されているスラストロック機構と呼ばれる機構を備えてなり、その内部に、上下方向に昇降自在で、下端に押し上げ操作を受ける都度、上昇した状態を維持固定／固定を解除して下方に降下、を繰り返す支持軸を備えてなる
また、その他の部材として、排水接続管の排出口に接続するためのトラップ配管を備えてなる。
また、この遠隔操作式排水栓装置が施工される洗面台の洗面ボウルは、上方が開口した槽体であって、槽体下方に排水栓を取り付ける取付孔と、槽体内であって、槽体の上縁近傍に、オーバーフロー排水栓を取り付けるためのオーバーフロー取付孔を備えてなる。
【０００３】
上記の各部材から構成された遠隔操作式排水栓装置を洗面ボウルに施工する場合、
まずオーバーフロー取付孔の周縁をオーバーフロー排水栓とオーバーフロー本体とで挟持するようにして固定する。次にオーバーフロー排水口、オーバーフロー本体、オーバーフロー管、枝管部、排水接続管内にレリースワイヤを挿通した上で、操作部をオーバーフロー排水口内に固定する。次に排水栓本体を取付孔に取り付けてから、排水線本体の駆動部に、レリースワイヤ端部を接続する。次に排水栓本体の下端と排水接続管の上端を接続し、更に排水接続管の下端と下水側の床下配管とを、トラップ配管を介して接続する。
更に弁部材を、支持軸の上方に弁軸が配置されるように排水口から排水栓本体内部に配置して、遠隔操作式排水栓装置の施工が完了する。
【０００４】
上記のように取着した遠隔操作式排水栓装置を使用する場合、まず排水口が閉口した状態、即ち支持軸が下方に下がった状態とする。この状態から操作部のボタン部に押し込み操作を加えて、操作軸を介しレリースワイヤのインナーワイヤを駆動部側に前進させると、インナーワイヤ先端が駆動部の支持軸を押し上げ、スラストロック機構の作用により、支持軸が弁軸を押し上げた状態、即ち弁部材全体が上昇し、弁体が排水口から離間して排水口が開口した状態で支持・固定される。この時、インナーワイヤは戻りスプリングの作用により操作部側（槽体内部側）に突出した状態となる。
この状態から再度操作部のボタン部に押し込み操作を加えて、操作軸を介しレリースワイヤのインナーワイヤを前進させると、インナーワイヤ先端が駆動部の支持軸を押し上げ、スラストロック機構の支持軸の固定が解除され、弁軸と支持軸とが降下し、排水口が弁体により閉口される。
以下、同様の操作を繰り返すことで、排水口を遠隔操作にて自由に開閉することができる。
【０００５】
尚、遠隔操作式排水栓装置は上記従来例以外にも、操作部をオーバーフロー排水口以外の部分である洗面台の垂直な壁部に設け、レリースワイヤをオーバーフロー配管内を介する事無く施工する場合もある。
【０００６】
図１４に示した遠隔操作式排水栓装置では、操作部を槽体や洗面台など排水機器の垂直な壁面上に設けることで、操作部上に排水の水滴が付着しても容易に落下させ、操作部を衛生的な状態に維持することができる。
また、操作部をオーバーフロー排水栓内部に配置した場合は、洗面台（又は洗面ボウル）にレリースワイヤを挿通する開口を設ける必要が無くなり、排水機器の作成に必要な手間が一部省略できるほか、遠隔操作式排水栓装置を備えない排水機器と同一の部材構成にすることができ、部材管理などが容易になる。
【先行技術文献】
【特許文献】
【０００７】
【特許文献１】特開２００４−１８３２２５号公報
【発明の概要】
【発明が解決しようとする課題】
【０００８】
しかしながら上記実施例には、以下に記載するような問題点があった。
１．上記従来の遠隔操作式排水栓装置において、レリースワイヤは、操作部では前後に動作するように構成されているが、一般に排水機器の操作部が取り付けられる槽体の垂直な壁面や、排水機器の垂直な壁面から、部屋の壁面までの隙間空間はあまり広く設けられていない。このため、操作部から水平方向に延出されたレリースワイヤは部屋の壁面までの狭い隙間空間内で急激に下方に曲げられて駆動部に接続される。ところが、レリースワイヤのインナーワイヤは金属のより線などで構成されているため、あまり小さな曲がり半径で折り曲げると破損してしまい、アウターチューブ内を摺動できなくなる挫屈という現象を生じてしまう、という問題があった。また、破損を生じるまででは無くとも、曲がり部分でのインナーワイヤがアウターチューブ内面に接する当接の圧力は大きくなり、それに伴う摩擦力もまた大きなものとなって、遠隔操作式排水栓装置のスムーズな動作の妨げとなる。
２．オーバーフロー排水口は内部が暗く、また水垢などが付着して汚れるため、意匠性を考慮してオーバーフロー排水口内部が排水機器の使用者に直視できないように、カバー部材が設けられる場合が多い。しかしオーバーフロー排水口内に操作部を配置した場合、操作部のボタン部、操作軸などの動作を行う関係上、操作の邪魔となるカバー部材を設けることができなくなり、排水機器の使用者にオーバーフロー排水口内部が直視できる状態となってしまい、意匠性を損ねる、という問題があった。
本発明は上記問題点を解消するために考案されたものであり、操作部が垂直な壁面に備えられる、浴槽や流し台、洗面台等の槽体に用いられる遠隔操作式排水栓装置において、レリースワイヤの挫屈や動作不良を防ぎ、また操作部をオーバーフロー排水口内に配置する場合には、オーバーフロー排水口内が排水機器の使用者に直視できないようにする、意匠性を良いものとした遠隔操作式排水栓装置に関するものである。
【課題を解決するための手段】
【０００９】
請求項１に記載の本発明は、槽体に設けられた排水口１と、
排水口１内に配置されて上下動することで該排水口１の開閉を行う弁部材２と、
弁部材２の開閉操作を行う、略垂直な壁面に配置される操作部３と、
操作部３に加えられた操作を弁部材２に伝達する、筒状のアウターチューブ４ａ、アウターチューブ４ａ内に進退自在に配置されるインナーワイヤ４ｂ、から構成されるレリースワイヤ４と、からなり、
インナーワイヤ４ｂを、アウターチューブ４ａに対して軸方向に進退させることにより排水口１の開閉を行う遠隔操作式排水栓装置において、
操作部３を、
インナーワイヤ４ｂに接続される、側面にツマミ部１１を有した動作体５と、
アウターチューブ４ａに接続される、側面に開口部７を設けた箱体であって、側面の開口部７からツマミ部１１が突出した状態で、上下に摺動可能に動作体５を収納する操作部本体６と、から構成し、
前記ツマミ部１１に対して上下方向に操作を加えることによって、インナーワイヤ４ｂがアウターチューブ４ａに対して軸方向に進退することを特徴とする遠隔操作式排水栓装置である。
【００１０】
請求項２に記載の本発明は、上記遠隔操作式排水栓装置において、操作部３の開口部７を槽体内に配置し、該開口部７にて槽体内の水位が一定以上となったときに槽体内の排水を下水側に排出するオーバーフロー排水を行うと共に、排水口１の開口状態においては、動作体５によって開口部７の少なくとも一部が閉塞されることで、排水機器の使用者に開口部７から操作部本体６内部が目視できないことを特徴とする、段落０００９に記載の遠隔操作式排水栓装置である。
【００１１】
請求項３に記載の本発明は、上記遠隔操作式排水栓装置において、動作体５が面対称形状であり、施工完了時において、動作体がその対称面に平行な方向に沿って動作することで排水口１を開閉すると共に、動作体５の対称面上に、ツマミ部１１の重心点と、動作体５とレリースワイヤ４のインナーワイヤ４ｂとの接続部分が配置され、更に操作部本体６内の排水を排出するオーバーフロー排出口１４を、施工完了時動作体５の対称面上以外の位置に設けてなることを特徴とする、段落００１０に記載の遠隔操作式排水栓装置である。
【００１２】
請求項４に記載の本発明は、上記遠隔操作式排水栓装置において、遠隔操作式排水栓装置の操作部３から弁軸２ｂまでの経路の間に、軸方向に進退自在で、操作部３に押し操作を加える都度、弁部材２が上昇した状態を維持固定／固定を解除して下方に降下、を繰り返す支持軸８ａを備えた駆動部８を設け、操作部３の押し込み操作毎に排水口１の開閉を行う、ワンウェイ式の遠隔操作式排水栓装置としたことを特徴とする、段落０００９乃至段落００１１のいずれか１つに記載の遠隔操作式排水栓装置である。
【発明の効果】
【００１３】
本発明の遠隔操作式排水栓装置は、以下の効果を奏する。
１．請求項１に記載の本発明は、操作部が垂直な壁面に備えられている、レリースワイヤを利用した遠隔操作式排水栓装置において、レリースワイヤは操作部との接続に際し、上下方向にのみ接続配置され、前後方向（水平方向）に向けては配置されない。このため、レリースワイヤが壁面までの狭い隙間空間内で急激に下方に曲げられて駆動部に接続される、といった問題が生じない。この構成により、小さな曲がり半径でレリースワイヤを折り曲げたために破損してしまう、と言った挫屈の問題が生じることはない。また、曲がり部分でのインナーワイヤがアウターチューブ内面に接する当接の圧力は大きくなり、それに伴う摩擦力もまた大きなものとなって、遠隔操作式排水栓装置のスムーズな動作の妨げとなる、という問題が生じることもない。
２．請求項２に記載の遠隔操作式排水栓装置では、操作部の開口部からオーバーフロー排水を行うように構成した遠隔操作式排水栓装置において、オーバーフロー排水が不要となる排水口の開口時には、動作体によって開口部が閉塞されることで、排水機器の使用者に開口部から操作部本体内部を目視することができず、意匠性を向上することができる。
３．請求項３に記載の本発明では、動作体が面対称形状であり、施工完了時において、動作体がその対称面に平行な方向に沿って動作することで排水口を開閉すると共に、
動作体の対称面上に、ツマミ部１１の重心点と、動作体とレリースワイヤのインナーワイヤとの接続部分が配置されているため、ツマミ部を介して動作体に加わる応力、及び動作体からインナーワイヤに作用する応力がバランス良く作用し、動作が安定する。一方で、操作部本体内の排水を排出するオーバーフロー排出口を、施工完了時動作体の対称面上以外の位置に設けてなるため、レリースワイヤが操作部本体内部の排水の障害となることはほとんどなく、良好な排水性能を維持することができる。
４．請求項４に記載の遠隔操作式排水栓装置では遠隔操作式排水栓装置の開閉に関する構成を明確にすることができる。
【図面の簡単な説明】
【００１４】
【図１】第一実施例の、排水口を閉口した状態の断面図である。
【図２】図１の操作部近傍の拡大図である。
【図３】図２の、洗面ボウルを省略したＡ方向矢視図である。
【図４】第一実施例の、排水口を開口した状態の断面図である。
【図５】図４の操作部近傍の拡大図である。
【図６】図５の、洗面ボウルを省略したＢ方向矢視図である。
【図７】第二実施例の、排水口を閉口した状態の断面図である。
【図８】図７の操作部近傍の拡大図である。
【図９】図８の操作部において、ツマミ部を押し込んだ状態を示す参考図である。
【図１０】第二実施例の、排水口を開口した状態の断面図である。
【図１１】図１０の操作部近傍の拡大図である。
【図１２】第三実施例の、洗面ボウルを省略した操作部を示す正面図である。
【図１３】第三実施例の断面図である。
【図１４】従来の遠隔操作式排水栓装置を採用した洗面ボウルの断面図である。
【実施例】
【００１５】
以下に本発明の第一実施例を、図面を参照しつつ説明する。
図１乃至図６に示した本発明の第一実施例の遠隔操作式排水栓装置は、弁部材２、排水栓本体９、排水接続管１０、操作部３、レリースワイヤ４、等の各部材より構成されてなる。以下に各部材の構造を記す。
弁部材２は略円盤状の弁体２ａと、該弁体２ａの中心より直下方向に垂下した弁軸２ｂからなる。
排水栓本体９は上方に排水口１を、また上端周縁にフランジ９ａを設けると共に、内部に排水の通水路を備えた筒状の部材であって、下端部分に後記する排水接続管１０を接続可能に構成してなる。
排水接続管１０は、略筒状の管体からなる部材であって、筒状の管体の途中部分の側面に、レリースワイヤ４を挿通すると共に操作部３からのオーバーフロー排水が流入する枝管部１０ａを設けてなる。また、排水接続管１０の、管内の弁軸２ｂ略直下位置には、後述するレリースワイヤ４のアウターチューブ４ａ端部を固定する固定部を設けてなる。
操作部３は排水口１に備えられる弁部材２の動作を遠隔的に操作すると共に、槽体内の水位が一定以上となったときに槽体内の排水を下水側に排出するオーバーフロー排水を行うための部材であって、以下に記載するカバー部材１２、操作部本体６、動作体５、オーバーフロー管１３から構成される。
カバー部材１２は、正面視略長方形を成す部材であって、その中央下方に開口部７を備えてなる。
操作部本体６は、上記カバー部材１２に接続される箱体状の部材であって、正面方向にカバー部材１２が接続される開口を、下方にオーバーフロー管１３が接続されるオーバーフロー排出口１４を、それぞれ備えられてなり、その内部に後述する動作体５を上下動自在に収納する。また、動作体５を収納した状態においても、操作部本体６内部には、動作体５後背に排水が通過できる排水空間が備えられてなり、施工完了時、後述するように開口部７、通水口１５、操作部本体６の排水空間、オーバーフロー排出口１４を介して、オーバーフロー排水をオーバーフロー管１３から排出することができる。
動作体５は、その下端がインナーワイヤ４ｂに接続される平板状の部材であって、略中央部分に、正面方向に向けて若干の下り傾斜を設けて備えたツマミ部１１と、該ツマミ部１１の下方に、排水を通水するための通水口１５を備えてなる。
また、動作体５はその周囲に操作部本体６に対して位置を固定するためのＯリング１６を備えてなり、全体としては左右対称を成す面対称形状であって、対称面上に、ツマミ部１１の重心点と、動作体５と後述するレリースワイヤ４のインナーワイヤ４ｂとの接続部分が配置されてなる（ツマミ部１１も左右対称な為、当然ながら対称面上に重心点が配置される）。
オーバーフロー管１３はオーバーフロー排出口１４と枝管部１０ａとを接続する可撓性を備えた管体からなる部材であって、オーバーフロー排出口１４からの排水を枝管部１０ａに排出する。
レリースワイヤ４は、操作部３に加えられた操作を弁部材２に伝達する部材であって、側面方向に対して可撓性を備え、軸方向には剛性を備えた円筒状のアウターチューブ４ａと、該アウターチューブ４ａ内に配置され、アウターチューブ４ａ内に滑動自在に配置された、側面方向に対して可撓性を備え、軸方向には剛性を備えたインナーワイヤ４ｂと、インナーワイヤ４ｂの排水栓本体９側端部に設けられた棒状のロッド部４ｃと、からなる。このレリースワイヤ４のインナーワイヤ４ｂは、一端は弁部材２の弁軸２ｂ下端の直下位置に配置し、他端は操作部３の動作体５に接続する。
また、その他の部材として、排水接続管１０の排出口に接続するためのトラップ配管１７を備えてなる。
また、この遠隔操作式排水栓装置が施工される、槽体である洗面台の洗面ボウルＳは、上方が開口した槽体であって、槽体下方に排水栓を取り付ける取付孔と、槽体内であって、槽体の上縁近傍に、操作部３を取り付けるための操作部取付孔を備えてなる。
【００１６】
上記の各部材から構成された遠隔操作式排水栓装置を洗面ボウルＳに施工する場合、
まず操作部本体６のオーバーフロー排出口１４と排水接続管１０の枝管部１０ａとを、オーバーフロー管１３を介して接続する。次に動作体５の下端にレリースワイヤ４のインナーワイヤ４ｂ端部を接続した上で、インナーワイヤ４ｂの排水栓本体９側端部（ロッド部４ｃを備えた方の端部）を、操作部本体６、オーバーフロー管１３、枝管部１０ａ、排水接続管１０内の順に挿通し、レリースワイヤ４をオーバーフロー管１３内に挿通すると共に、動作体５を操作部本体６内部に収納する。その後、固定部にレリースワイヤ４のアウターチューブ４ａ端部を接続固定する。
更に槽体である洗面ボウルＳの操作部取付孔周縁を、カバー部材１２と操作部本体６の正面の開口周縁とで挟持して、カバー部材１２及び操作部本体６を洗面ボウルＳに固定する。このとき、動作体５のツマミ部１１がカバー部材１２の開口部７から正面方向に突出した状態とし、ツマミ部１１に操作を加えることで操作部本体６内部で動作体５が上下に滑動自在となるようにする（動作体５は左右方向に面対称形状であり、動作体５が上下方向に動作することは、動作体５が対称面に平行な方向に沿って動作することを意味する）。尚、この実施例ではオーバーフロー排出口１４が操作部本体６の直下にあり、施工完了時動作体の対称面上となる位置に設けられてなる。
この状態において、操作部３側のレリースワイヤ４は、上下動する動作体５に併せて、上下方向に向けて配置されてなり、従来例のように、前後方向（水平方向）に延出された後急激に下方に曲げられて配置される、という事はない。
次に排水栓本体９を洗面ボウルＳの取付孔に、フランジ９ａ下面が取付孔周縁上面に当接するように取り付け固定してから、排水栓本体９の下端と排水接続管１０の上端を接続し、更に排水接続管１０の下端と下水側の床下配管とを、トラップ配管１７を介して接続する。
更に弁部材２を、支持軸８ａの上方に弁軸２ｂが配置されるように排水口１から排水栓本体９内部に配置して、遠隔操作式排水栓装置の施工が完了する。尚、この時インナーワイヤ４ｂ端部のロッド部４ｃは、弁軸２ｂの直下位置に配置される。
【００１７】
上記のように取着した遠隔操作式排水栓装置を使用する場合、まず排水口１が閉口した状態、即ち図１のように、インナーワイヤ４ｂがアウターチューブ４ａに対して操作部３側に後退し、動作体５が上昇していることで、反対側の端部にあるロッド部４ｃが降下した状態とする。この時、弁部材２はロッド部４ｃの支持を失って降下し、弁体２ａが排水口１を閉塞した状態となる。またこの時カバー部材１２の開口部７と動作体５の通水口１５との位置関係は、図２、図３に示したように、通水口１５と開口部７の位置が正面視（図３中のＡ矢視の方向視）合致した状態となる。
この図１に示した状態では、排水口１が閉塞しているため、排水器機である洗面台の使用によって生じた排水は、槽体である洗面ボウルＳ内部に溜まってゆくが、カバー部材１２の開口部７の下端まで排水が溜まると、開口部７の下端から洗面ボウルＳ内の排水が操作部３内に流れ込み、図２のＷで示した矢印のように、カバー部材１２の開口部７、通水口１５、操作部本体６の通水空間、オーバーフロー排出口１４を通過し、オーバーフロー管１３から、枝管部１０ａ、排水接続管１０内部を介して最終的にはトラップ配管１７から下水側に排出される。このため、洗面ボウルＳ内に排水が続いても、洗面ボウルＳ内の排水の水位は一定以上上昇せず、洗面ボウルＳの上縁から排水が溢れ出すことはない。
この状態から操作部３のツマミ部１１に操作を加えて、動作体５を降下させると、動作体５に接続されたレリースワイヤ４のインナーワイヤ４ｂが排水栓側に前進する。これにより、図４、図５、及び図６に示したように、ロッド部４ｃの先端が弁部材２の弁軸２ｂ下端を押し上げて弁部材２全体が上昇し、弁体２ａが排水口１から離間して排水口１が開口した状態となる。この状態では、動作体５のツマミ部１１より上方の部分が壁となって開口部７を閉塞する。
この図４に示した状態では、排水口１が開口しているため、排水器機である洗面台の使用によって生じた排水は、そのまま排水口１から排水栓本体９内部及び排水接続管１０内部を介して最終的にはトラップ配管１７から下水側に排出され、洗面ボウルＳ内に排水が続いても、洗面ボウルＳ内に排水が溜まることはない。このため、開口部７が閉塞した状態であっても、排水が洗面ボウから溢れる、といった問題が生じない。
この状態から操作部３のツマミ部１１に操作を加えて、動作体５を上昇させると、インナーワイヤ４ｂが操作部３側に後退してロッド部４ｃと共に弁部材２が降下し、排水口１は閉塞されて、図１に示した状態に戻る。
以降、同様の操作を繰り返すことで、排水口１を操作部３から遠隔操作にて自由に開閉することができる。
【００１８】
上記第一実施例においては、レリースワイヤ４は操作部３との接続に際し、上下方向にのみ接続配置され、前後方向（水平方向）に向けては配置されない。このため、レリースワイヤ４が壁面までの狭い隙間空間内で急激に下方に曲げられて駆動部８に接続される、といった問題が生じない。この構成により、小さな曲がり半径でレリースワイヤ４を折り曲げたために破損してしまう、と言った挫屈の問題が生じることはない。また、曲がり部分でのインナーワイヤ４ｂがアウターチューブ４ａ内面に接する当接の圧力は大きくなり、それに伴う摩擦力もまた大きなものとなって、遠隔操作式排水栓装置のスムーズな動作の妨げとなる、という問題が生じることもない。
また、上記第一実施例において、図１、図２、図３に示した排水口１の閉口状態では、操作部３において、操作部３の正面方向から目視すれば開口部７及び通水口１５を介してオーバーフロー排水を行う操作部本体６内部が目視可能となるが、通常槽体の使用者は槽体の斜め上方向から槽体内部を目視するものであり、上記実施例では、突出した操作部３のツマミ部１１によって、槽体の斜め上方向から槽体内部を目視する排水器機の使用者からは操作部本体６内部を目視することが出来ない。
また、図４、図５、及び図６に示した排水口１の開口状態では、降下した動作体５によって開口部７が閉塞されるため、カバー部材１２の開口部７から操作部本体６内部が目視されることは無い。またこの時、操作部３の開口部７は閉口しているが、排水口１が開口しているため、排水器機の使用によって生じた排水は排水口１から排出されて槽体内部に溜まる事はないため、オーバーフロー排水を排出する開口部７は閉塞していても排水機器の使用に支障は生じない。
【００１９】
次に、本発明の第二実施例を、図面を参照しつつ説明する。
図７乃至図１１に示した本発明の第二実施例の遠隔操作式排水栓装置は、弁部材２、排水栓本体９、排水接続管１０、操作部３、レリースワイヤ４、駆動部８、等の各部材より構成されてなる。以下に各部材の構造を記す。
弁部材２は略円盤状の弁体２ａと、該弁体２ａの中心より直下方向に垂下した弁軸２ｂからなる。
排水栓本体９は上方に排水口１を、また上端周縁にフランジ９ａを設けると共に、内部に排水の通水路を備えた筒状の部材であって、下端部分に後記する排水接続管１０を接続可能に構成してなる。
排水接続管１０は、略筒状の管体からなる部材であって、筒状の管体の途中部分の側面に、レリースワイヤ４を挿通すると共に操作部３からのオーバーフロー排水が流入する枝管部１０ａを設けてなる。また、排水接続管１０の、管内の弁軸２ｂ略直下位置には、後述する駆動部８を固定する固定部を設けてなる。
駆動部８は、操作部３から弁軸２ｂまでの経路の間である、排水接続管１０の固定部に接続固定される部材であって、その内部に、上下方向に進退自在の支持軸８ａを備えたスラストロック機構を備えてなる。このスラストロック機構はノック式ボールペンなどに備えられる機構であって、支持軸８ａの下端に押し込み操作を加えられる都度、支持軸８ａが上昇した状態を維持固定／固定を解除して下方に降下、を繰り返すように構成されてなる。
操作部３は排水口１に備えられる弁部材２の動作を遠隔的に操作すると共に、槽体内の水位が一定以上となったときに槽体内の排水を下水側に排出するオーバーフロー排水を行うための部材であって、以下に記載するカバー部材１２、操作部本体６、動作体５、オーバーフロー管１３から構成される。
カバー部材１２は、正面視略長方形を成す部材であって、その内部に開口部７を備えてなる。
操作部本体６は、上記カバー部材１２に接続される箱体状の部材であって、正面方向にカバー部材１２が接続される開口を、下方にオーバーフロー管１３が接続されるオーバーフロー排出口１４を、それぞれ備えられてなり、その内部に後述する動作体５を上下動自在に収納する。また、動作体５を収納した状態においても、操作部本体６内部には、動作体５後背に排水が通過できる排水空間が備えられてなり、施工完了時、後述するように開口部７、通水口１５、操作部本体６の排水空間、オーバーフロー排出口１４を介して、オーバーフロー排水をオーバーフロー管１３から排出することができる。
動作体５は、全体としては左右対称を成す面対称形状であって、その下端がインナーワイヤ４ｂに接続される、上部に下方ほど前後が幅広となる傾斜面５ａを備えた部材である。
また、該傾斜面５ａの下方に、排水を通水するための通水口１５を備えてなる。
ツマミ部１１はカバー部材１２の開口部７の上縁に、回動自在に備えられる左右対称な部材であって、背面側に側面視円弧部分を備えてなる。また、開口部７の上縁を中心とする回動により、開口部７を介して操作部本体６内に前後方向に進退し、この進退の際、動作体５の傾斜面５ａに円弧部分が当接する。この当接により、ツマミ部１１が奥側に押し込まれたとき、傾斜面５ａの作用によって動作体５は降下する。また、該ツマミ部１１は、通常はバネ部材（図示せず）により、槽体内方向に突出するように構成されてなる。また施工完了時において、動作体５が後述するように下方に降下した状態では、ツマミ部１１の下端は動作体５の上端より下方にあり、この動作体５が降下した状態において、排水機器である洗面台の使用者は操作部本体６内部を目視することはできない（槽体である洗面ボウルＳ内部に視点を置き、操作部３を見上げるようにしない限り、ツマミ部１１に覆い隠された動作体５の上方を見ることはできないため）。
尚、動作体５の対称面とツマミ部１１の対称面とは、施工完了時一致する位置関係に配置される（ツマミ部１１は左右対称な為、対称面上に重心点が配置される。このため、ツマミ部材１１の重心点は、動作体の対称面上にある）。
オーバーフロー管１３はオーバーフロー排出口１４と枝管部１０ａとを接続する可撓性を備えた管体からなる部材であって、オーバーフロー排出口１４からの排水を枝管部１０ａに排出する。
レリースワイヤ４は、操作部３に加えられた操作を弁部材２に伝達する部材であって、側面方向に対して可撓性を備え、軸方向には剛性を備えた円筒状のアウターチューブ４ａと、該アウターチューブ４ａ内に配置され、アウターチューブ４ａ内に滑動自在に配置された、側面方向に対して可撓性を備え、軸方向には剛性を備えたインナーワイヤ４ｂと、からなる。このレリースワイヤ４のインナーワイヤ４ｂは、一端は駆動部８の支持軸８ａの直下位置に配置し、他端は操作部３の動作体５に接続する。
また、その他の部材として、排水接続管１０の排出口に接続するためのトラップ配管１７を備えてなる。
また、この遠隔操作式排水栓装置が施工される、槽体である洗面台の洗面ボウルＳは、上方が開口した槽体であって、槽体下方に排水栓を取り付ける取付孔と、槽体内であって、槽体の上縁近傍に、操作部３を取り付けるための操作部取付孔を備えてなる。
尚、上記第二実施例においては、動作体５及びインナーワイヤ４ｂの高低差による重量より、弁部材２及び支持軸８ａの重量の方が大きくなるように構成されてなる。
【００２０】
上記の各部材から構成された遠隔操作式排水栓装置を洗面ボウルＳに施工する場合、
まず操作部本体６のオーバーフロー排出口１４と排水接続管１０の枝管部１０ａとを、オーバーフロー管１３を介して接続する。次に動作体５の下端にレリースワイヤ４のインナーワイヤ４ｂ端部を接続した上で、インナーワイヤ４ｂの排水栓本体９側端部を、操作部本体６、オーバーフロー管１３、枝管部１０ａ、排水接続管１０内の順に挿通し、最後にレリースワイヤ４端部を駆動部８に接続固定する。
その後、動作体５を操作部本体６内部に収納すると共に、固定部に駆動部８を接続固定する。
更に槽体である洗面ボウルＳの操作部取付孔周縁を、カバー部材１２と操作部本体６の正面の開口周縁とで挟持して、カバー部材１２及び操作部本体６を洗面ボウルＳに固定する。
このとき、操作部本体６のツマミ部１１が、開口部７の上縁を回動の中心として、カバー部材１２の開口部７から正面方向に突出した状態となるようにすると共に、ツマミ部１１に押し込み操作を加えることで、開口部７の上縁を回動の中心としてツマミ部１１が前後に動作し、ツマミ部１１後背に設けた円弧部分に傾斜面５ａが当接し、または離間することで、操作部本体６内部で動作体５が上下に滑動自在となるようにする（動作体５は左右方向に面対称形状であり、動作体５が上下方向に動作することは、動作体５が対称面に平行な方向に沿って動作することを意味する）。尚、この実施例ではオーバーフロー排出口１４が操作部本体６の直下にあり、施工完了時動作体の対称面上となる位置に設けられてなる。
この状態において、操作部３側のレリースワイヤ４は、上下動する動作体５に併せて、上下方向に向けて配置されてなり、従来例のように、前後方向（水平方向）に延出された後急激に下方に曲げられて配置される、という事はない。
次に排水栓本体９を洗面ボウルＳの取付孔に、フランジ９ａ下面が取付孔周縁上面に当接するように取り付け固定してから、排水栓本体９の下端と排水接続管１０の上端を接続し、更に排水接続管１０の下端と下水側の床下配管とを、トラップ配管１７を介して接続する。
更に弁部材２を、支持軸８ａの上方に弁軸２ｂが配置されるように排水口１から排水栓本体９内部に配置して、遠隔操作式排水栓装置の施工が完了する。尚、この時駆動部８の支持軸８ａが、弁軸２ｂの直下位置に配置される。
【００２１】
上記のように取着した遠隔操作式排水栓装置を使用する場合、まず排水口１が閉口した状態、即ち図７のように、駆動部８の支持軸８ａが降下し、インナーワイヤ４ｂが操作部３側に後退して、動作体５が上昇した状態とする。このとき、弁部材２は支持軸８ａの支持を失って、弁部材２と支持軸の自重とで降下し、弁体２ａが排水口１を閉塞した状態となる。またこのとき動作体５の通水口１５と開口部７の位置は、図８に示したように、通水口１５と開口部７の位置が側面視合致した状態となる。この状態では、排水口１が閉塞しているため、排水器機の使用によって生じた排水は槽体内部に溜まってゆくが、カバー部材１２の開口部７の下端まで排水が溜まると、開口部７の下端から槽体内の排水が操作部３内に流れ込み、図８のＷで示した矢印のように、カバー部材１２の開口部７、通水口１５、操作部本体６、オーバーフロー排出口１４を通過し、オーバーフロー管１３、枝管部１０ａ、排水接続管１０内部を介し、最終的にはトラップ配管１７を介して下水側に排出される。
この状態から図９に示したように、操作部３のツマミ部１１に水平方向に押し込み操作を加えると、傾斜面５ａにツマミ部１１後背の円弧部分が当接し、傾斜面５ａの作用により、ツマミ部１１の円弧部分の後方向への押し込みの応力が、動作体５を下方に押し込む応力に変換され、動作体５が降下して、動作体５に接続されたレリースワイヤ４のインナーワイヤ４ｂが排水栓側に前進する。これにより、レリースワイヤ４のインナーワイヤ４ｂ端部により支持軸８ａの下端が押し上げられ、支持軸８ａが上昇した状態でスラストロック機構により固定される。この結果、図１０に示したように、支持軸８ａの先端が弁部材２の弁軸２ｂ下端を押し上げて弁部材２全体が上昇し、弁体２ａが排水口１から離間して排水口１が開口した状態となる。この状態では、支持軸８ａが上昇した状態のため、レリースワイヤ４のインナーワイヤ４ｂはインナーワイヤ４ｂ先端が支持軸８ａの下端に当接する位置まで、動作体５の重量やインナーワイヤ４ｂ自体の自重で前進する。このため、操作部３は図１１に示したように動作体５が降下して開口部７から通水口１５が目視できない位置に移動すると共に、ツマミ部１１がバネ部材により洗面ボウルＳ内部側に突出した状態で停止する。
この図１０に示した状態では、排水口１が開口しているため、排水器機である洗面台の使用によって生じた排水は、そのまま排水口１から排水栓本体９内部及び排水接続管１０内部を介して最終的にはトラップ配管１７から下水側に排出され、洗面ボウルＳ内に排水が続いても、洗面ボウルＳ内に排水が溜まることはない。
この状態から再び操作部３のツマミ部１１に水平方向に押し込み操作を加えると、再び傾斜面５ａの作用により、ツマミ部１１の円弧部分の後方向への押し込みの応力が、動作体５を下方に押し込む応力に変換され、動作体５が降下して、動作体５に接続されたレリースワイヤ４のインナーワイヤ４ｂが排水栓側に前進する。これにより、レリースワイヤ４のインナーワイヤ４ｂ端部により支持軸８ａの下端が押し上げられ、レリースワイヤ４のインナーワイヤ４ｂ端部により支持軸８ａの下端が再度押し上げられ、支持軸８ａの固定が解除される。この場合、前述のように本実施例においては、動作体５及びインナーワイヤ４ｂの高低差による重量より、弁部材２及び支持軸８ａの重量の方が大きくなるように構成されてなるため、支持軸８ａごと弁部材２全体が降下し、動作体５及びインナーワイヤ４ｂが後退（操作部３側に移動）し、再び図８に示したように、弁体２ａが排水口１を閉塞した状態に戻る。
以下、同様の操作を繰り返すことで、排水口１を遠隔操作にて自由に開閉することができる。尚、本発明の第二実施例の遠隔操作式排水栓装置は、上記のようにツマミ部１１を押し込み操作するという一方向のみの操作によって、排水口１を遠隔操作により開閉できるため、「一方向」の意味から「ワンウェイ式遠隔操作式排水栓装置」と呼ばれる。
【００２２】
上記第二実施例においては、レリースワイヤ４は操作部３において上下方向にのみ配置され、前後方向（水平方向）に向けては配置されないため、レリースワイヤ４が部屋の壁面までの狭い隙間空間内で急激に下方に曲げられて駆動部８に接続される、といった問題が生じない。このため、小さな曲がり半径でレリースワイヤ４を折り曲げたために破損してしまう、と言った挫屈が生じることはない。また、曲がり部分でのインナーワイヤ４ｂがアウターチューブ４ａ内面に接する当接の圧力は大きくなり、それに伴う摩擦力もまた大きなものとなって、遠隔操作式排水栓装置のスムーズな動作の妨げとなる、という問題が生じることもない。
また、上記第二実施例において、図７、図８に示した排水口１の閉口状態では、操作部３において、操作部３の正面方向から目視すれば開口部７及び通水口１５を介してオーバーフロー排水を行う操作部本体６内部が目視可能となるが、通常槽体の使用者は槽体の斜め上方向から槽体内部を目視するものであり、上記実施例では、突出した操作部３のツマミ部１１、及び動作体５の前方に突出した傾斜面５ａによって、槽体の斜め上方向から槽体内部を目視する排水器機の使用者からは操作部本体６内部を目視することが出来ない。
また、図１０、図１１に示した排水口１の開口状態では、降下した動作体５によって開口部７が閉塞されるため、カバー部材１２の開口部７から操作部本体６内部が目視されることは無い。またこの時、操作部３の動作体５上方位置の開口部７は開放されているが、当該部分はツマミ部１１が配置されているため、ツマミ部１１により槽体の斜め上方向から槽体内部を目視する排水器機の使用者からは操作部本体６内部を目視することが出来ない。
【００２３】
次に、本発明の第三実施例を、図面を参照しつつ説明する。
図１２乃至図１３に示した本発明の第三実施例の遠隔操作式排水栓装置は、弁部材２、排水栓本体９、排水接続管１０、操作部３、レリースワイヤ４、駆動部８、等の各部材より構成されてなる。以下に各部材の構造を記す。尚、図１２は遠隔操作式排水栓装置の操作部３近傍の正面図、図１３は遠隔操作式排水栓装置の断面図であり、且つ図１３の操作部３近傍は図１２のＣ−Ｃ断面を示している。
弁部材２は略円盤状の弁体２ａと、該弁体２ａの中心より直下方向に垂下した弁軸２ｂからなる。
排水栓本体９は上方に排水口１を、また上端周縁にフランジ９ａを設けると共に、内部に排水の通水路を備えた筒状の部材であって、下端部分に後記する排水接続管１０を接続可能に構成してなる。
排水接続管１０は、略筒状のＬ字状に屈曲した管体からなる部材であって、筒状の管体の途中部分の側面に、操作部３からのオーバーフロー排水が流入する枝管部１０ａを設けてなり、更に管体の垂直部分の底面に、レリースワイヤ４を挿通するワイヤ接続管１９を備えてなる。また、排水接続管１０の、管内の弁軸２ｂ略直下位置には、後述する駆動部８を固定する固定部を設けてなる。
駆動部８は、操作部３から弁軸２ｂまでの経路の間である、排水接続管１０の固定部に接続固定される部材であって、その内部に、上下方向に進退自在の支持軸８ａを備えたスラストロック機構を備えてなる。このスラストロック機構はノック式ボールペンなどに備えられる機構であって、支持軸８ａの下端に押し込み操作を加えられる都度、支持軸８ａが上昇した状態を維持固定／固定を解除して下方に降下、を繰り返すように構成されてなる。
操作部３は排水口１に備えられる弁部材２の動作を遠隔的に操作すると共に、槽体内の水位が一定以上となったときに槽体内の排水を下水側に排出するオーバーフロー排水を行うための部材であって、以下に記載するカバー部材１２、操作部本体６、動作体５、オーバーフロー管１３から構成される。
カバー部材１２は、正面視略長方形を成す部材であって、その内部に開口部７を備えてなる。
操作部本体６は、上記カバー部材１２に接続される箱体状の部材であって、正面方向にカバー部材１２が接続される開口を、開口の水平方向の中央部分の直下方向に後述するレリースワイヤ４を水密的に挿通するワイヤ挿通管１８を、同じく操作部本体６の下方であって、操作部本体６の正面方向視左右に並んだ位置にオーバーフロー管１３が接続されるオーバーフロー排出口１４を、それぞれ備えられてなる。
また、操作部本体６には、その内部に後述する動作体５を上下動自在に収納する。
また、操作部本体６は、オーバーフロー排出口１４とワイヤ挿通管１８とが操作部本体６の正面方向視並んだ状態で設けられてなることから、動作体５を収納した状態においても、操作部本体６内部には、動作体５の横方向に排水が通過できる排水空間が備えられてなり、施工完了時、後述するように開口部７、通水口１５、操作部本体６の排水空間、オーバーフロー排出口１４を介して、オーバーフロー排水をオーバーフロー管１３から排出することができる。また、操作部本体６のワイヤ挿通管１８と反対側の壁は、少なくともワイヤ挿通管１８の幅分だけ側面方向に飛び出し部分を備えてなる。これによって、ワイヤ挿通管１８を設けたことによる排水の通過できる部分の減少を抑え、性能の損失を最小限となるようにしている。
動作体５は、全体としては左右対称を成す面対称形状であって、その下端がインナーワイヤ４ｂに接続される、上部に下方ほど前後が幅広となる傾斜面５ａを備えた部材である。
また、該傾斜面５ａの下方に、排水を通水するための通水口１５を備えてなる。
ツマミ部１１はカバー部材１２の開口部７の上縁に、回動自在に備えられる左右対称な部材であって、背面側に側面視円弧部分を備えてなる。また、開口部７の上縁を中心とする回動により、開口部７を介して操作部本体６内に前後方向に進退し、この進退の際、動作体５の傾斜面５ａに円弧部分が当接する。この当接により、ツマミ部１１が奥側に押し込まれたとき、傾斜面５ａの作用によって動作体５は降下する。また、該ツマミ部１１は、通常はバネ部材（図示せず）により、槽体内方向に突出するように構成されてなる。また施工完了時において、動作体５が後述するように下方に降下した状態では、ツマミ部１１の下端は動作体５の上端より下方にあり、この動作体５が降下した状態において、排水機器である洗面台の使用者は操作部本体６内部を目視することはできない（槽体である洗面ボウルＳ内部に視点を置き、操作部３を見上げるようにしない限り、ツマミ部１１に覆い隠された動作体５の上方を見ることはできないため）。
尚、動作体５の対称面とツマミ部１１の対称面とは、施工完了時一致する位置関係に配置される（ツマミ部１１は左右対称な為、対称面上に重心点が配置される。このため、ツマミ部材１１の重心点は、動作体の対称面上にある）。
オーバーフロー管１３はオーバーフロー排出口１４と枝管部１０ａとを接続する可撓性を備えた管体からなる部材であって、オーバーフロー排出口１４からの排水を枝管部１０ａに排出する。
レリースワイヤ４は、操作部３に加えられた操作を弁部材２に伝達する部材であって、側面方向に対して可撓性を備え、軸方向には剛性を備えた円筒状のアウターチューブ４ａと、該アウターチューブ４ａ内に配置され、アウターチューブ４ａ内に滑動自在に配置された、側面方向に対して可撓性を備え、軸方向には剛性を備えたインナーワイヤ４ｂと、からなる。このレリースワイヤ４のインナーワイヤ４ｂは、一端は駆動部８の支持軸８ａの直下位置に配置し、他端は操作部３の動作体５に接続する。
尚、先の第一、第二実施例ではレリースワイヤ４はオーバーフロー管１３内に配置されるが、この第三実施例では、レリースワイヤ４はワイヤ挿通管１８を介して配管外に配置された後、再度排水接続管１０底面のワイヤ接続管１９を介して駆動部８に接続される。
また、その他の部材として、排水接続管１０の排出口に接続するためのトラップ配管１７を備えてなる。
また、この遠隔操作式排水栓装置が施工される、槽体である洗面台の洗面ボウルＳは、上方が開口した槽体であって、槽体下方に排水栓を取り付ける取付孔と、槽体内であって、槽体の上縁近傍に、操作部３を取り付けるための操作部取付孔を備えてなる。
尚、上記第三実施例においては、動作体５及びインナーワイヤ４ｂの高低差による重量より、弁部材２及び支持軸８ａの重量の方が大きくなるように構成されてなる。
更に槽体である洗面ボウルＳの操作部取付孔周縁を、カバー部材１２と操作部本体６の正面の開口周縁とで挟持して、カバー部材１２及び操作部本体６を洗面ボウルＳに固定する。
このとき、操作部本体６のツマミ部１１が、開口部７の上縁を回動の中心として、カバー部材１２の開口部７から正面方向に突出した状態となるようにすると共に、ツマミ部１１に押し込み操作を加えることで、開口部７の上縁を回動の中心としてツマミ部１１が前後に動作し、ツマミ部１１後背に設けた円弧部分に傾斜面５ａが当接し、または離間することで、操作部本体６内部で動作体５が上下に滑動自在となるようにする
（動作体５は左右方向に面対称形状であり、動作体５が上下方向に動作することは、動作体５が対称面に平行な方向に沿って動作することを意味する）。
尚、この第三実施例では、操作部本体６の説明で記載し、図１２に示したように、オーバーフロー排出口１４とワイヤ挿通管１８とが操作部本体６の正面方向視左右に並んだ状態で設けられてなり、左右対称に構成された動作体５は、施工完了時においてワイヤ掃通管１８の上方に配置されてなるため、施工完了時において、オーバーフロー排出口１４は、動作体５の対称面上以外の位置に設けてなる。
【００２４】
上記の各部材から構成された遠隔操作式排水栓装置を洗面ボウルＳに施工する場合、
まず操作部本体６のオーバーフロー排出口１４と排水接続管１０の枝管部１０ａとを、オーバーフロー管１３を介して接続する。次に動作体５の下端にレリースワイヤ４のインナーワイヤ４ｂ端部を接続した上で、インナーワイヤ４ｂの排水栓本体９側端部を、操作部本体６からワイヤ挿通管１８を介して排水流路外に取り出した後、再度ワイヤ接続管１９を介して排水接続管１０内に挿通し、最後にレリースワイヤ４端部を駆動部８に接続固定する。尚、ワイヤ挿通管１８、ワイヤ接続管１９とレリースワイヤ４のとの挿通部分は、パッキングなどを利用して水密的に施工され、排水流路から外部に排水が漏れないように成されている。
その後、動作体５を操作部本体６内部に収納すると共に、固定部に駆動部８を接続固定する。
更に槽体である洗面ボウルＳの操作部取付孔周縁を、カバー部材１２と操作部本体６の正面の開口周縁とで挟持して、カバー部材１２及び操作部本体６を洗面ボウルＳに固定する。
このとき、操作部本体６のツマミ部１１が、開口部７の上縁を回動の中心として、カバー部材１２の開口部７から正面方向に突出した状態となるようにすると共に、ツマミ部１１に押し込み操作を加えることで、開口部７の上縁を回動の中心としてツマミ部１１が前後に動作し、ツマミ部１１後背に設けた円弧部分に傾斜面５ａが当接し、または離間することで、操作部本体６内部で動作体５が上下に滑動自在となるようにする。
この状態において、操作部３側のレリースワイヤ４は、上下動する動作体５に併せて、上下方向に向けて配置されてなり、従来例のように、前後方向（水平方向）に延出された後急激に下方に曲げられて配置される、という事はない。
次に排水栓本体９を洗面ボウルＳの取付孔に、フランジ９ａ下面が取付孔周縁上面に当接するように取り付け固定してから、排水栓本体９の下端と排水接続管１０の上端を接続し、更に排水接続管１０の下端と下水側の床下配管とを、トラップ配管１７を介して接続する。
更に弁部材２を、支持軸８ａの上方に弁軸２ｂが配置されるように排水口１から排水栓本体９内部に配置して、遠隔操作式排水栓装置の施工が完了する。尚、この時駆動部８の支持軸８ａが、弁軸２ｂの直下位置に配置される。
【００２５】
上記のように取着した遠隔操作式排水栓装置を使用する場合、まず排水口１が閉口した状態とする。このとき、弁部材２は支持軸８ａの支持を失って、弁部材２と支持軸の自重とで降下し、弁体２ａが排水口１を閉塞した状態となる。またこのとき動作体５の通水口１５と開口部７の位置は、図８に示したように、通水口１５と開口部７の位置が側面視合致した状態となる。この状態では、排水口１が閉塞しているため、排水器機の使用によって生じた排水は槽体内部に溜まってゆくが、カバー部材１２の開口部７の下端まで排水が溜まると、開口部７の下端から槽体内の排水が操作部３内に流れ込み、カバー部材１２の開口部７、操作部本体６、オーバーフロー排出口１４を通過し、オーバーフロー管１３、枝管部１０ａ、排水接続管１０内部を介し、最終的にはトラップ配管１７を介して下水側に排出される。
この状態から操作部３のツマミ部１１に水平方向に押し込み操作を加えると、傾斜面５ａにツマミ部１１後背の円弧部分が当接し、傾斜面５ａの作用により、ツマミ部１１の円弧部分の後方向への押し込みの応力が、動作体５を下方に押し込む応力に変換され、動作体５が降下して、動作体５に接続されたレリースワイヤ４のインナーワイヤ４ｂが排水栓側に前進する。これにより、レリースワイヤ４のインナーワイヤ４ｂ端部により支持軸８ａの下端が押し上げられ、支持軸８ａが上昇した状態でスラストロック機構により固定される。この結果、図１３に示したように、支持軸８ａの先端が弁部材２の弁軸２ｂ下端を押し上げて弁部材２全体が上昇し、弁体２ａが排水口１から離間して排水口１が開口した状態となる。この状態では、支持軸８ａが上昇した状態のため、レリースワイヤ４のインナーワイヤ４ｂはインナーワイヤ４ｂ先端が支持軸８ａの下端に当接する位置まで、動作体５の重量やインナーワイヤ４ｂ自体の自重で前進する。この時、ツマミ部１１はバネ部材により洗面ボウルＳ内部側に突出した状態で停止する。
この図１３に示した状態では、排水口１が開口しているため、排水器機である洗面台の使用によって生じた排水は、そのまま排水口１から排水栓本体９内部及び排水接続管１０内部を介して最終的にはトラップ配管１７から下水側に排出され、洗面ボウルＳ内に排水が続いても、洗面ボウルＳ内に排水が溜まることはない。
この状態から再び操作部３のツマミ部１１に水平方向に押し込み操作を加えると、再び傾斜面５ａの作用により、ツマミ部１１の円弧部分の後方向への押し込みの応力が、動作体５を下方に押し込む応力に変換され、動作体５が降下して、動作体５に接続されたレリースワイヤ４のインナーワイヤ４ｂが排水栓側に前進する。これにより、レリースワイヤ４のインナーワイヤ４ｂ端部により支持軸８ａの下端が押し上げられ、レリースワイヤ４のインナーワイヤ４ｂ端部により支持軸８ａの下端が再度押し上げられ、支持軸８ａの固定が解除される。この場合、前述のように本実施例においては、動作体５及びインナーワイヤ４ｂの高低差による重量より、弁部材２及び支持軸８ａの重量の方が大きくなるように構成されてなるため、支持軸８ａごと弁部材２全体が降下し、動作体５及びインナーワイヤ４ｂが後退（操作部３側に移動）し、再び弁体２ａが排水口１を閉塞した状態に戻る。
以下、同様の操作を繰り返すことで、排水口１を遠隔操作にて自由に開閉することができる。
【００２６】
上記第三実施例においては、レリースワイヤ４は操作部３において上下方向にのみ配置され、前後方向（水平方向）に向けては配置されないため、レリースワイヤ４が部屋の壁面までの狭い隙間空間内で急激に下方に曲げられて駆動部８に接続される、といった問題が生じない。このため、小さな曲がり半径でレリースワイヤ４を折り曲げたために破損してしまう、と言った挫屈が生じることはない。また、曲がり部分でのインナーワイヤ４ｂがアウターチューブ４ａ内面に接する当接の圧力は大きくなり、それに伴う摩擦力もまた大きなものとなって、遠隔操作式排水栓装置のスムーズな動作の妨げとなる、という問題が生じることもない。
また、上記第三実施例においては、ツマミ部１１が開口部７の斜め上方を覆う位置に配置されるため、槽体の斜め上方向から槽体内部を目視する排水器機の使用者からは操作部本体６内部を目視することは、例えば意図的に視点を下げるなどすれば不可能ではないが、通常に排水機器を使用する限り、ほぼ不可能であると言える。
【００２７】
本発明の実施例は以上のようであるが本発明は上記実施例に限定される物ではなく、主旨を変更しない範囲において自由に変更が可能である。例えば、上記第一実施例、第二実施例では、動作体５にオーバーフロー排水を通水させる為の通水口１５が設けられているが、本発明は上記実施例に限定されるものではなく、例えばインナーワイヤ４ｂが排水栓側に前進したとき弁体２ａが降下するように構成し、降下した動作体５の上方の開口部７分を介して槽体内に溜まった排水が排出されるように構成してもかまわない。
【００２８】
また、上記第一実施例では動作体５の下方にのみ通水口１５を設けているが、本発明は上記実施例に必ずしも限定されるものではなく、動作体５の上方と下方の両方に通水口１５を設け、排水口１の開閉に係わらず開口部７からオーバーフロー排水を行うことができるようにしても良い。このようにすると、排水口１の開口時にも操作部本体６内部を目視することが可能となり、意匠性は悪化するが、排水口１が大量の塵芥などが原因で閉塞した場合に、開口部７を介して槽内の排水を排出する事ができる。
【００２９】
また、上記第二実施例では、動作体５は、排水口１の開口時には降下し、排水口１の閉口時には上昇してなるが、本発明は上記実施例に必ずしも限定されるものではなく、レリースワイヤー４のインナーワイヤ４ｂを操作部３側に付勢する戻りスプリングを設け、ツマミ部１１を押し込んだ状態（図９の状態）以外では、図８のように動作体５を上昇した状態とするように構成しても良い。この場合、段落００２９と同様に、意匠性は悪化するが、排水口１が大量の塵芥などが原因で閉塞した場合に、開口部７を介して槽内の排水を排出する事ができる。
、第二実施例では、動作体５にオーバーフロー排水を通水させる為の通水口１５が設けられているが、本発明は上記実施例に限定されるものではなく、例えばインナーワイヤ４ｂが排水栓側に前進したとき弁体２ａが降下するように構成し、降下した動作体５の上方の開口部７分を介して槽体内に溜まった排水が排出されるように構成してもかまわない。
【００３０】
また上記各実施例では、本発明は洗面台の洗面ボウルＳに採用されてなるが、洗面台、浴槽、流し台など、排水口１を備える各種槽体に採用することができる。
【符号の説明】
【００３１】
１      排水口                    ２      弁部材
２ａ    弁体                      ２ｂ    弁軸
３      操作部                    ４      レリースワイヤ
４ａ    アウターチューブ          ４ｂ    インナーワイヤ
４ｃ    ロッド部                  ５      動作体
５ａ    傾斜面                    ６      操作部本体
７      開口部                    ８      駆動部
８ａ    支持軸                    ９      排水栓本体
９ａ    フランジ                  １０    排水接続管
１０ａ  枝管部                    １１    ツマミ部
１２    カバー部材                １３    オーバーフロー管
１４    オーバーフロー排出口      １５    通水口
１６    Ｏリング                  １７    トラップ配管
１８    ワイヤ挿通管              １９    ワイヤ接続管
Ｓ      洗面ボウル
【図１】
2014167251.tif 000003
【図２】
2014167251.tif 000004
【図３】
2014167251.tif 000005
【図４】
2014167251.tif 000006
【図５】
2014167251.tif 000007
【図６】
2014167251.tif 000008
【図７】
2014167251.tif 000009
【図８】
2014167251.tif 000010
【図９】
2014167251.tif 000011
【図１０】
2014167251.tif 000012
【図１１】
2014167251.tif 000013
【図１２】
2014167251.tif 000014
【図１３】
2014167251.tif 000015
【図１４】
2014167251.tif 000016